(57)【要約】      （修正有）【課題】耳掛けがなく、耳に負担をかけない、優れた装着感と装着安定性を有し、表面に模様及び／又は色彩が施されるマスクカバーを提供する。【解決手段】マスクの外面を覆うマスクカバー７０であって、マスクの寸法形状に対応する大きさを有し、且つ、表面５０に模様及び／又は色彩が施されているカバー本体１０と、該カバー本体１０の左右両側にそれぞれ形成された、マスクの耳掛け部を差し通すための切り込み部２０とを有する。【選択図】図１
0003227496.tif 000002
【実用新案登録請求の範囲】
【請求項１】
マスク（１００）の外面（８０）を覆うマスクカバー（７０）であって、
マスクの寸法形状に対応する大きさを有し且つ表面（５０）に模様及び／又は色彩が施されているカバー本体（１０）と、
該カバー本体（１０）の左右両側にそれぞれ形成された、マスクの耳掛け部（９０）を差し通すための切り込み部（２０）と
を有する、マスクカバー。
【請求項２】
該切り込み部（２０）は、上方の紐穴（３０ａ）と下方の紐穴（３０ｂ）を連通する切れ目（４０）を設けてなることを特徴とする請求項１に記載のマスクカバー。
【請求項３】
該マスクカバー（７０）はその中央に、左右対称に折り畳み可能な折り目（６０）を設けてなる、請求項１又は請求項２に記載のマスクカバー。
【請求項４】
該マスクカバー（７０）は不織布からなる、請求項１乃至請求項３のうちいずれか一項に記載のマスクカバー。
【考案の詳細な説明】
【技術分野】
【０００１】
本考案は、マスクの外面を覆うマスクカバーに関する。さらに詳しくは、マスクの寸法形状に対応する大きさを有し、表面に模様及び／又は色彩が施され、耳に掛ける耳掛けがない仕様になっているマスクカバーに関する。
【背景技術】
【０００２】
従来、感染症が流行している季節に、感染されやすい年よりや子供、そしてその家族を中心に、マスクを掛けて予防対策を行ってきた。しかし、世界中に大流行する感染症である場合、冬場だけではなく、一年中マスクをかけないといけない状況の中、マスクが年齢、世代問わず、欠かせない生活必須アイテムになってきた。需要度が急に高くなってマスクが品薄になった場合に、マスクが頻繁に変えられないときもある。そして、毎日見た目が地味なマスクをかけるのも、気分的には暗くなりがちである。このために、頻繁に変えられ、そして毎日かけても嫌いにならない観点から、マスクカバーが人気を集めている。
【０００３】
しかし、従来のマスクカバーは、耳に掛けるための紐をつけたものであり、マスクの上にさらにマスクカバーを被せ、その紐をマスクの紐とともに耳に掛けるという構成であったため、耳、そして直接に接触した頬の皮膚にとても負担をかけるという問題があった。この負担により、肌荒れ、皮膚炎まで起こしてしまう場合もある。また、従来のマスクカバーはデザインの工夫が十分考慮されておらず、ユーザーは自分の趣向に合わせてデザインを変えることができない課題もあった。しかも、マスクカバーのデザインを自由に変える発想も今まではなかった。
【考案の概要】
【考案が解決しようとする課題】
【０００４】
本考案は耳掛けがなく、耳に負担をかけない、優れた装着感と装着安定性を有するマスクカバーを提供すること、並びに、表面に模様及び／又は色彩が施されるマスクカバーを提供することを課題とする。
【課題を解決するための手段】
【０００５】
課題を解決するために、以下のマスクカバーを考案した。
本考案の第１観点として、マスク（１００）の外面（８０）を覆うマスクカバー（７０）であって、
マスクの寸法形状に対応する大きさを有し且つ表面（５０）に模様及び／又は色彩が施されているカバー本体（１０）と、
該カバー本体（１０）の左右両側にそれぞれ形成された、マスクの耳掛け部（９０）を差し通すための切り込み部（２０）と
を有する、マスクカバーである。
本考案の第２観点として、該切り込み部（２０）は、上方の紐穴（３０ａ）と下方の紐穴（３０ｂ）を連通する切れ目（４０）を設けてなることを特徴とする第１観点に記載のマスクカバーである。
本考案の第３観点として、該マスクカバー（７０）はその中央に、左右対称に折り畳み可能な折り目（６０）を設けてなる、第１観点又は第２観点に記載のマスクカバーである。
本考案の第４観点として、該マスクカバー（７０）は不織布からなる、第１観点乃至第３観点のうちいずれか一項に記載のマスクカバーである。
【考案の効果】
【０００６】
本考案は、耳掛けがなく、マスクの耳掛けを利用しマスクの外面を覆うため、従来のマスクカバーより耳などに負担をかけなく、装着感が優れている。そしてマスクの耳掛けを切込み部に差し通すだけでマスクに装着可能のため、操作がとても簡単し、便利である。
そして、該マスクカバーの表面に色や模様の印刷ができることで、ユーザーの趣向や需要に合わせて、様々なデザインがあるマスクカバーを提供することができる。購入したユーザーはマスクをつける環境や用途によって、マスクカバーを変えるだけで、様々な場面に合わせた異なるイメージを作り出すことが可能である。また、企業は統一デザインのマスクカバーを従業員に着用させることで、企業イメージを消費者に対して植え付けることができ、しかも、時代の流れに合わせて、企業イメージの変更も容易になすことができる。
さらに、不織布からなる本考案のマスクカバーは、軽くて値段が安く、使い捨てができ、衛生的に清潔さを保つことができる。
【図面の簡単な説明】
【０００７】
【図１】マスクカバーの正面図である。
【図２】折り畳んだマスクカバーの側面図である。
【図３】マスクに装着したマスクカバーをマスクの背面から見た図である。
【図４】顔にマスク及びマスクカバーを同時に装着した斜視図である。
【図５】顔にマスク及びマスクカバーを同時に装着した正面図である。
【考案を実施するための形態】
【０００８】
図１に示されるように、本考案のマスクカバー７０は、マスクの寸法形状に対応する大きさを有し、且つ表面５０に模様及び／又は色彩が施されているカバー本体１０と、カバー本体１０の左右両側にそれぞれ形成された、マスクの耳掛け部９０を差し通すための切り込み部２０とを有する。該切り込み部２０は、さらに上方の紐穴３０ａと下方の紐穴３０ｂを連通する切れ目４０を設けてなる。
【０００９】
また、該マスクカバー７０には耳掛けがなく、図３に示されるように、マスクを装着する際に、マスクの耳掛け部９０を該マスクカバーの切込み部２０を通らせて、マスクの耳掛け部９０により、マスク及びマスクカバーを同時に装着する仕様になる。そのため、耳への負担を減らす効果が期待できる。
【００１０】
本考案のマスクカバーの表面５０にある色や模様について、様々な用途に合わせてアレンジすることができる。例えば、子供や女性向けの商品の場合は、動物などかわいい柄を印刷することができる。企業の場合は、ロゴやスローガンを印刷し、統一した模様による宣伝効果が得られる。また、スポーツ観戦やライブイベントの場合、そろいの色で応援することができる。これ以外にも、様々の場面にそれに適応する色や模様を印刷することができる。ユーザーはバリエーションが豊富なマスクカバーにより個性を表すことができる。
【００１１】
さらに、本考案のマスクカバー７０の切込み部２０には、上方の紐穴３０ａと下方の紐穴３０ｂを連通する切れ目４０を設けることで、実際に使用される細い糸や幅が広いゴム等いろいろなマスクの耳掛けにも対応でき、そして装着後にマスクカバーの位置調整をしやすく、マスクカバーの安定感を増し、装着感への貢献が期待できる。
【００１２】
また、図２に示されるように、本考案のマスクカバー７０の中央に、折り目６０を設けることが可能である。これにより、マスクカバーを折り畳むことが可能であり、利便性や衛生面が向上される。
【００１３】
また、本考案のマスクカバー７０は不織布からなることにより、マスクカバー自体が軽
く、マスクにつけられても、重さにより耳への負担が少ない。そして生産コストを抑えるため、使い捨てで利用でき、衛生的に清潔さを保つことができる。
【００１４】
マスクカバーの使い方として、マスクカバーの上下を確認し、マスクの耳掛けをマスクカバーの切り込み部を通すだけで使用できる。装着が簡単である。
【００１５】
図４及び図５は、マスクカバー及びマスクを同時に顔に装着したイメージ図である。図４及び図５に示されるように、顔にマスク及び本考案のマスクカバーを同時に装着した場合に、正面からも側面からも、従来耳掛けがあるマスクカバーが使用されるときより、シンプルに見える。また、マスクカバーに模様があることで、無地のマスクより見た目がよく、そしてマスク本来の機能にも影響しない。
【符号の説明】
【００１６】
１０  ：カバー本体                 ２０  ：切込み部
３０ａ：上方の紐穴                 ３０ｂ：下方の紐穴
４０  ：切り目                     ５０  ：カバーの表面
６０  ：折り目                     ７０  ：マスクカバー
８０  ：マスクの外面               ９０  ：マスクの耳掛け部
１００：マスク
【図１】
0003227496.tif 000003
【図２】
0003227496.tif 000004
【図３】
0003227496.tif 000005
【図４】
0003227496.tif 000006
【図５】
0003227496.tif 000007